(57)【要約】      （修正有）【課題】利用者の身体に装着した状態で物品を使用でき、かつ物品の落下を防止する物品収納具を提供する。【解決手段】物品収納具１００は、物品の１つである鍵を収納する収納本体部１と、収納本体部１に固定されたバンド部２とを備えている。収納本体部１の表面には、鍵を収納本体部１内に引き込んで、引き込まれた鍵を収納本体部１内に保持、又は引き込まれた鍵を収納本体部１外に放出するために操作されるセットバー１１と、収納本体部１内に保持した状態でロック、又はロックを解除するために操作されるスライドバー１２とを備えている。また、収納本体部１には、開口部１３が設けられており、後述するが、スライドバー１２によりロックが解除された場合に、開口部１３から鍵が放出されるようになっている。【選択図】図１
0003168303.tif 000002
【実用新案登録請求の範囲】
【請求項１】
物品を収納する収納部と、
前記収納部に一部が取り付けられ、一方の端部が前記物品に取り付けられた紐状部材と、
を備えたことを特徴とする物品収納具。
【請求項２】
前記紐状部材を巻き取る巻き取り部を、
更に備えたことを特徴とする請求項１に記載の物品収納具。
【請求項３】
前記物品は、磁性体であり、
前記収納部は、
前記紐状部材の他方の端部が取り付けられた紐固定部と、
前記物品を吸着する磁石と、を有する
ことを特徴とする請求項１に記載の物品収納具。
【請求項４】
前記物品を当該収納部外へ放出するように伸張する伸張部材と、
前記伸張部材の伸張を抑制した状態で保持又は解除する抑制保持手段と、
を、更に備えたことを特徴とする請求項１〜３のうちいずれか１項に記載の物品収納具。
【請求項５】
前記収納部は、
前記物品がはめ込まれた状態で保持する弾性体を有する
ことを特徴とする請求項１に記載の物品収納具。
【請求項６】
前記紐状部材は、
前記収納部に一部がスライド自在に取り付けられた弾性体であり、
前記紐状部材を屈曲した状態で保持又は解除する屈曲保持手段を、
を更に備えたことを特徴とする請求項１に記載の物品収納具。
【請求項７】
前記収納部に対して所定の間隔を有して両端が固定された円筒部材を、更に備え、
前記物品は、
前記円筒部材を中心に回動自在に設けられた側面部の一部が切り欠いた中空円筒形状を有し、前記紐状部材の一方の端部が取り付けられた接続部を有した
ことを特徴とする請求項１に記載の物品収納具。
【請求項８】
前記収納部は、
上面の一部又は全部が開閉する蓋部を有する
ことを特徴とする請求項１〜７のいずれか１項に記載の物品収納具。
【請求項９】
前記収納部は、
前記物品を覆い又は露出させるように伸縮する伸縮部材を有した
ことを特徴とする請求項１に記載の物品収納具。
【請求項１０】
前記収納部が固定され、人体の手首に着脱可能なバンド部
を、さらに備えたことを特徴とする請求項１〜９のいずれか１項記載の物品収納具。
【考案の詳細な説明】
【技術分野】
【０００１】
本考案は、物品収納具に関し、特に、収納される物品の出し入れが容易な物品収納具に関する。
【背景技術】
【０００２】
一般的に、物品の一例である鍵を、収納することが可能なリストバンドが良く知られている。
【０００３】
例えば、特許文献１には、サウナ等において使用され、手首に着脱することが可能なリストバンドであって、鍵が挟着された鍵挟着体を、鍵挟着体の両端に設けられたスリットにバンド部を挿通することにより、鍵挟着体を装着するリストバンドが記載されている。
【０００４】
また、特許文献２には、手首に着脱可能な伸縮性を有する布材からなるリストバンド本体と、リストバンド本体の表面側に設けられ、携帯電話、たばこ、財布、薄型デジタルカメラ等の収納物を入れることが可能で、その出入口には収納物の落下を防止する閉塞機構が設けられた収納体が記載されている。
【先行技術文献】
【特許文献】
【０００５】
【特許文献１】特開２００４−２４２９０４号公報
【特許文献２】特開２００４−３４４５６５号公報
【考案の概要】
【考案が解決しようとする課題】
【０００６】
しかしながら、特許文献１に記載のリストバンドでは、鍵挟着体の両端に設けられたスリットにバンド部を挿通することにより、鍵挟着体を装着するので、利用者が鍵を利用する際、手首からリストバンドを外した上で、鍵挟着体に挟着された鍵を使用する必要があり、この取り外す作業が、利用者のとって煩わしかった。
【０００７】
また、特許文献２に記載の収納体では、リストバンドに表面側に、携帯電話、たばこ、財布、薄型デジタルカメラ等の収納物が設けられ、落下防止用の蓋を有しているが、手首はよく動かされるので、何かの要因で蓋が開くと、収納物が落下してしまうという課題があった。
【０００８】
本考案は、上記課題に鑑みてなされたものであり、利用者の身体に装着した状態で物品を使用でき、かつ物品の落下を防止する物品収納具を提供することを目的とする。
【課題を解決するための手段】
【０００９】
上記目的を達成するため、本考案に係る物品収納具の第１の特徴は、物品を収納する収納部と、前記収納部に一部が取り付けられ、一方の端部が前記物品に取り付けられた紐状部材と、を備えたことにある。
【００１０】
本考案に係る物品収納具の第２の特徴は、前記紐状部材を巻き取る巻き取り部を、更に備えたことにある。
【００１１】
本考案に係る物品収納具の第３の特徴は、前記物品は、磁性体であり、前記収納部は、前記紐状部材の他方の端部が取り付けられた紐固定部と、前記物品を吸着する磁石と、を有することにある。
【００１２】
本考案に係る物品収納具の第４の特徴は、前記物品を当該収納部外へ放出するように伸張する伸張部材と、前記伸張部材の伸張を抑制した状態で保持又は解除する抑制保持手段と、を、更に備えたことにある。
【００１３】
本考案に係る物品収納具の第５の特徴は、前記収納部は、前記物品がはめ込まれた状態で保持する弾性体を有することにある。
【００１４】
本考案に係る物品収納具の第６の特徴は、前記紐状部材は、前記収納部に一部がスライド自在に取り付けられた弾性体であり、前記紐状部材を屈曲した状態で保持又は解除する屈曲保持手段を、を更に備えたことにある。
【００１５】
本考案に係る物品収納具の第７の特徴は、前記収納部に対して所定の間隔を有して両端が固定された円筒部材を、更に備え、前記物品は、前記円筒部材を中心に回動自在に設けられた側面部の一部が切り欠いた中空円筒形状を有し、前記紐状部材の一方の端部が取り付けられた接続部を有したことにある。
【００１６】
本考案に係る物品収納具の第８の特徴は、前記収納部は、上面の一部又は全部が開閉する蓋部を有することにある。
【００１７】
本考案に係る物品収納具の第９の特徴は、前記収納部は、前記物品を覆い又は露出させるように伸縮する伸縮部材を有したことにある。
【００１８】
本考案に係る物品収納具の第１０の特徴は、前記収納部が固定され、人体の手首に着脱可能なバンド部を、さらに備えたことにある。
【考案の効果】
【００１９】
本考案に係る物品収納具によれば、利用者の身体に装着した状態で物品を使用でき、かつ物品の落下を防止することができる。
【図面の簡単な説明】
【００２０】
【図１】本考案の実施例１に係る物品収納具の斜視図である。
【図２】本考案の実施例１に係る物品収納具の収納本体部の内部構成図である。
【図３】本考案の実施例２に係る物品収納具が備える収納本体部の内部構成図である。
【図４】（ａ）は、本考案の実施例３に係る物品収納具が備える収納本体部の平面図であり、（ｂ）は、本考案の実施例３に係る物品収納具が備える収納本体部の（ａ）に示したＢ−Ｂ断面を示した断面図であり、（ｃ）は、本考案の実施例３に係る物品収納具が備える収納本体部の（ａ）に示したＡ−Ａ断面を示した断面図である。
【図５】（ａ）は、本考案の実施例４に係る物品収納具が備える収納本体部の平面図であり、（ｂ）は、本考案の実施例４に係る物品収納具が備える収納本体部の（ａ）に示したＣ−Ｃ断面を示した断面図であり、（ｃ）は、本考案の実施例３に係る物品収納具が備える収納本体部の側面図である。
【図６】（ａ）は、本考案の実施例５に係る物品収納具が備える収納本体部の平面図であり、（ｂ）は、本考案の実施例５に係る物品収納具が備える収納本体部の側面図である。
【図７】本考案の実施例６に係る物品収納具が備える収納本体部における鍵の取り出しを説明した図であり、（ａ）は、鍵が収納された状態を示し、（ｂ）は、鍵が取り出された状態を示している。
【図８】（ａ）〜（ｅ）は、本考案の実施例７に係る物品収納具が備える収納本体部における鍵の取り出しを説明した図である。
【考案を実施するための形態】
【００２１】
以下、本考案を実施するための形態について図面を参照して説明する。
【実施例１】
【００２２】
以下、本考案の実施例１に係る物品収納具について、図面を参照して詳細に説明する。
【００２３】
図１は、本考案の実施例１に係る物品収納具の斜視図である。
【００２４】
図１に示すように、本考案の実施例１に係る物品収納具１００は、物品の１つである鍵を収納する収納本体部１と、収納本体部１に固定されたバンド部２とを備えている。
【００２５】
収納本体部１の表面には、鍵を収納本体部１内に引き込んで、引き込まれた鍵を収納本体部１内に保持、又は引き込まれた鍵を収納本体部１外に放出するために操作されるセットバー１１と、収納本体部１内に保持した状態でロック、又はロックを解除するために操作されるスライドバー１２とを備えている。
【００２６】
また、収納本体部１には、開口部１３が設けられており、後述するが、スライドバー１２によりロックが解除された場合に、開口部１３から鍵が放出されるようになっている。
【００２７】
バンド部２は、例えば、面ファスナーや装着金具等の装着部（図示しない）を備えており、この装着部により人体の手首に着脱可能な構成を有している。
【００２８】
図２は、本考案の実施例１に係る物品収納具の収納本体部１の内部構成図である。
【００２９】
図２に示すように、収納本体部１は、鍵Ｋを収納する収納部１７を備えており、収納部１７は、ガイドレール１５と、台座１６とを備えている。
【００３０】
台座１６には、バネ２０が取り付けられており、バネ２０には、リール１８が取り付けられている。
【００３１】
リール１８は、所定の巻き取り力により紐状部材１９が内部に収納されており、一方の端部は、鍵Ｋに取り付けられている。
【００３２】
また、リール１８は上述したセットバー１１と接続されており、セットバー１１がＧ２方向にスライド操作されることにより、リール１８と共に鍵Ｋが収納本体部１内に引き込まれる。そして、リール１８と共に鍵Ｋが収納本体部１内に引き込まれた状態で、スライドバー１２がＦ２方向にスライドされると、リール１８がロックされて、リール１８と共に鍵Ｋが収納本体部１内に保持される。
【００３３】
利用者が鍵Ｋを使用する際には、利用者は、スライドバー１２をＦ１方向にスライド操作する。そうすると、リール１８のロックが解除され、バネ２０の付勢力によりリール１８がＧ１方向に移動され、これにより、鍵Ｋが開口部１３から放出される。
【００３４】
ここで、物品収納具１００は、利用者の手首に装着されているので、この放出された鍵Ｋは利用者の手のひら付近に放出される。そのため、利用者は放出された鍵Ｋを指で把持して引っ張ることにより、リール１８内の紐状部材１９が必要な長さだけ出される。これにより、利用者は、鍵Ｋを使用することが可能となる。
【００３５】
以上のように、本考案の実施例１に係る物品収納具１００によれば、鍵Ｋを収納する収納部１７と、収納部１７に一部が取り付けられ、一方の端部が鍵Ｋに取り付けられた紐状部材１９とを備えるので、利用者は、鍵Ｋを使用する度に、物品収納具１００を取り外す必要がなく、物品収納具１００を手首に装着した状態で、鍵Ｋを使用することができる。また、鍵Ｋには紐状部材１９が取り付けられているので、使用の際、鍵Ｋの落下を防止することができる。
【実施例２】
【００３６】
本考案の実施例１では、紐状部材１９が内部に収納されたリール１８を備えた物品収納具１００を例に挙げて説明した。
【００３７】
本考案の実施例２では、磁力により鍵Ｋを吸着することにより鍵Ｋを収納部１７内部に保持する物品収納具を例に挙げて説明する。
【００３８】
図３は、本考案の実施例２に係る物品収納具１００Ａが備える収納本体部１Ａの内部構成図である。
【００３９】
図３に示すように、収納本体部１Ａは、スライドバー１２と、ガイドレール１５と、台座１６と、バネ２０とを備えており、それぞれ本考案の実施例１に係る物品収納具１００が備える同一符号が付された構成と同一であるので、説明を省略する。
【００４０】
本考案の実施例２に係る物品収納具１００Ａの収納本体部１Ａは、台座１６側にバネ２０が固定されると共に、開口部１３側に紐状部材１９の他方の端部が取り付けられた紐固定部２３を備えている。
【００４１】
また、紐固定部２３は、上述したセットバー１１と接続されており、セットバー１１がＧ２方向にスライド操作されることにより、紐固定部２３がガイドレール１５に沿って収納本体部１Ａ内に引き込まれる。そして、紐固定部２３が収納本体部１Ａ内に引き込まれた状態で、スライドバー１２がＦ２方向にスライドされると、紐固定部２３がロックされて、収納本体部１Ａ内に鍵Ｋが収納されるための空間が確保される。
【００４２】
本考案の実施例２に係る物品収納具１００Ａの収納本体部１Ａでは、ガイドレール１５に、磁石２２が固定されている。
【００４３】
鍵Ｋは、磁性体で成型されており、紐状部材１９に取り付けられているので、利用者が紐状部材１９と共に鍵Ｋを開口部１３へ投入すると、鍵Ｋは、磁力により磁石２２に吸着される。
【００４４】
利用者が鍵Ｋを使用する際には、利用者は、スライドバー１２をＦ１方向にスライド操作する。そうすると、紐固定部２３のロックが解除され、バネ２０の付勢力により紐固定部２３がＧ１方向に移動され、鍵Ｋが開口部１３から放出される。これにより、利用者は、鍵Ｋを使用することができる。
【００４５】
以上のように、本考案の実施例２に係る物品収納具１００Ａによれば、紐状部材１９の他方の端部が取り付けられた紐固定部２３と、磁力により鍵Ｋを吸着する磁石２２とを備えているので、本考案の実施例１に係る物品収納具１００と同様に、利用者の身体に装着した状態で鍵Ｋを使用でき、かつ使用の際の落下を防止することができる。
【００４６】
なお、本考案の実施例２では、一方の端部が鍵Ｋに取り付けられ、他方の端部が紐固定部２３に取り付けられた紐状部材１９を備える構成したが、この紐状部材１９は、自動巻き取りされるようにしてもよい。例えば、収納本体部１Ａにモータと、このモータを操作するためのスイッチを備え、モータの駆動によりこのモータが備える回転軸に紐状部材１９を巻き付けるようにしてもよい。
【実施例３】
【００４７】
本考案の実施例１では、開口部１３から鍵Ｋが放出する物品収納具１００を例に挙げて説明した。
【００４８】
本考案の実施例３では、鍵Ｋをはめ込んだ状態で保持する弾性体を有する物品収納具を例に挙げて説明する。
【００４９】
図４（ａ）は、本考案の実施例３に係る物品収納具１００Ｂが備える収納本体部１Ｂの平面図であり、図４（ｂ）は、本考案の実施例３に係る物品収納具１００Ｂが備える収納本体部１Ｂの図４（ａ）に示したＢ−Ｂ断面を示した断面図であり、図４（ｃ）は、本考案の実施例３に係る物品収納具１００Ｂが備える収納本体部１Ｂの図４（ａ）に示したＡ−Ａ断面を示した断面図である。
【００５０】
図４（ａ）〜（ｃ）に示すように、本考案の実施例３に係る物品収納具１００Ｂは、弾性体で成型された収納部１７Ｂを備えている。
【００５１】
収納部１７Ｂは、図４（ｃ）に示すように、鍵Ｋをはめ込んだ状態において、鍵Ｋの周辺部分が一部覆い被さるように鍵Ｋを象られたはめ込み孔２５と、さらに、はめ込まれた鍵Ｋの下方に紐状部材１９が配置可能なように切り欠かれた溝２６とが設けられている。
【００５２】
利用者は、溝２６に沿うように紐状部材１９を配置した上で、鍵Ｋをはめ込み孔２５の形に合わせて、収納部１７Ｂの上方から鍵Ｋを押下することにより、収納部１７Ｂは、紐状部材１９と鍵Ｋとを落下しないように保持する。
【００５３】
利用者が鍵Ｋを使用する際には、利用者は、収納部１７Ｂの両側から（Ｈ１，Ｈ２方向から）力を加えることにより、収納部１７Ｂが上方、即ち、鍵Ｋ側を凸に歪み、鍵Ｋが収納部１７Ｂから離脱される。これにより、利用者は、鍵Ｋを使用することができる。
【００５４】
このときも紐状部材１９は、一方の端部が鍵Ｋに取り付けられ、他方の端部が収納部１７Ｂに取り付けられているので、鍵Ｋが落下することはない。
【００５５】
以上のように、本考案の実施例３に係る物品収納具１００Ｂによれば、一方の端部が鍵Ｋに取り付けられ、他方の端部が収納部１７Ｂに取り付けられた紐状部材１９と、鍵Ｋをはめ込んだ状態で保持する弾性体で成型された収納部１７Ｂとを備えているので、本考案の実施例１に係る物品収納具１００と同様に、利用者の身体に装着した状態で鍵Ｋを使用でき、かつ使用の際の落下を防止することができる。
【実施例４】
【００５６】
本考案の実施例３では、鍵Ｋをはめ込んだ状態で保持する弾性体を有する物品収納具１００Ｂを例に挙げて説明した。
【００５７】
本考案の実施例４では、屈曲した状態で鍵Ｋを保持する弾性体を有する物品収納具を例に挙げて説明する。
【００５８】
図５（ａ）は、本考案の実施例４に係る物品収納具１００Ｃが備える収納本体部１Ｃの平面図であり、図５（ｂ）は、本考案の実施例４に係る物品収納具１００Ｃが備える収納本体部１Ｃの図５（ａ）に示したＣ−Ｃ断面を示した断面図であり、図５（ｃ）は、本考案の実施例３に係る物品収納具１００Ｂが備える収納本体部１Ｂの側面図である。
【００５９】
図５（ａ）〜（ｃ）に示すように、本考案の実施例４に係る物品収納具１００Ｃは、収納部１７Ｃと、弾性体で成型された紐状部材１９Ｃとを備えている。
【００６０】
収納部１７Ｃの上部には、ロック部２８が設けられており、このロック部２８により紐状部材１９Ｃは、Ｇ１及びＧ２方向にスライド自在に保持されている。
【００６１】
ロック部２８は、図５（ｂ）に示すように、鍵Ｋを保持する保持部２９と、保持部２９に接触するようにロック部２８の内部に設けられた内部バネ３１と、利用者によりＪ１方向から押下されるためのボタン３２とを備えている。
【００６２】
内部バネ３１の付勢力により保持部２９がＦ２方向に押されることにより、鍵Ｋが保持部２９のフック部２９ａに係止されて保持される。
【００６３】
利用者が鍵Ｋを使用する際には、利用者は、ボタン３２をＪ１方向に押下操作する。そうすると、保持部２９の傾斜部２９ｂにボタン３２が接しながらＪ１方向に移動し、これにより、保持部２９は、Ｆ１方向に移動される。
【００６４】
そして、保持部２９がＦ１方向に移動されて、係止された保持部２９のフック部２９ａが鍵Ｋから外れると、図５（ｃ）に示すように、鍵Ｋは、紐状部材１９Ｃの弾性力によって、Ｍ方向に移動する。
【００６５】
さらに、利用者は、鍵Ｋを掴み、鍵ＫをＧ１方向へ引っ張ることにより、鍵Ｋと共に紐状部材１９ＣがＧ１方向へ必要な長さだけスライドされる。これにより、利用者は、鍵Ｋを使用することができる。
【００６６】
以上のように、本考案の実施例４に係る物品収納具１００Ｃによれば、スライド自在に取り付けられた弾性体の紐状部材１９Ｃと、紐状部材１９Ｃを屈曲した状態で保持又は解除するロック部２８とを備えているので、本考案の実施例１に係る物品収納具１００と同様に、利用者の身体に装着した状態で鍵Ｋを使用でき、かつ使用の際の落下を防止することができる。
【実施例５】
【００６７】
本考案の実施例４では、紐状部材が屈曲した状態から解放することにより、保持された鍵Ｋを放出する物品収納具を例に挙げて説明した。
【００６８】
本考案の実施例５では、鍵Ｋを回転することにより、鍵Ｋを放出する物品収納具を例に挙げて説明する。
【００６９】
図６（ａ）は、本考案の実施例５に係る物品収納具１００Ｄが備える収納本体部１Ｄの平面図であり、図６（ｂ）は、本考案の実施例５に係る物品収納具１００Ｄが備える収納本体部１Ｄの側面図である。
【００７０】
図６（ａ）〜（ｂ）に示すように、本考案の実施例５に係る物品収納具１００Ｄは、収納部１７Ｄと、紐状部材１９とを備えている。
【００７１】
収納部１７Ｄの上部には、円柱形状を有する円筒部材３７と、後述する軸掛止部３８が回転可能な程度に収納部１７Ｄから所定の間隔を有するように円筒部材３７を両端で支持する軸固定台３６とが備えられている。
【００７２】
鍵Ｋには、鍵Ｋの端部を挟むように挟持部３５が固定されており、この挟持部３５には、中空円筒形状の側部の一部が切り欠かれた切り欠き部３８ａを有する軸掛止部３８が固定されている。そして、軸掛止部３８は、円筒部材３７を覆うように円筒部材３７を中心に回動自在に取り付けられている。
【００７３】
また、紐状部材１９の一方の端部は、挟持部３５に取り付けられており、他方の端部は、収納部１７Ｄに取り付けられている。ここで、挟持部３５と軸掛止部３８とを接続部といい、挟持部３５と軸掛止部３８とは、説明したようにそれぞれ成型されたものが組み合わされて接続部を構成するようにしてもよいし、挟持部３５と軸掛止部３８とが一体成型されて接続部を構成するようにしてもよい。
【００７４】
利用者が鍵Ｋを使用する際には、図６（ｂ）に示すように、利用者は、円筒部材３７を中心に、鍵ＫをＮ方向へ１８０°回転させる。そうすると、切り欠き部３８ａがＪ１方向に向くので、円筒部材３７から軸掛止部３８が鍵Ｋと共にＪ２方向へ外れる。これにより、利用者は、円筒部材３７から外れた鍵Ｋを使用することができる。
【００７５】
以上のように、本考案の実施例５に係る物品収納具１００Ｄによれば、収納部１７Ｄに所定の間隔を有して両端が固定された円筒部材３７と、円筒部材３７を中心に回動自在に設けられた側部の一部が切り欠いた中空円筒形状を有し、紐状部材１９の一方の端部が取り付けられた接続部とを備えているので、本考案の実施例１に係る物品収納具１００と同様に、利用者の身体に装着した状態で鍵Ｋを使用でき、かつ使用の際の落下を防止することができる。
【実施例６】
【００７６】
本考案の実施例１では、開口部１３から鍵Ｋが放出する物品収納具１００を例に挙げて説明した。
【００７７】
本考案の実施例６では、上面の一部又は全部が開閉する蓋部を有する収納本体部を備える物品収納具を例に挙げて説明する。
【００７８】
図７は、本考案の実施例６に係る物品収納具１００Ｅが備える収納本体部１Ｅにおける鍵Ｋの取り出しを説明した図である。
【００７９】
図７（ａ）に示すように、本考案の実施例６に係る物品収納具１００Ｅが備える収納本体部１Ｅの上面には、ヒンジ部４２を回転軸として開閉する蓋部４１が備えられている。
【００８０】
利用者が鍵Ｋを使用しない場合には、図７（ａ）に示すように、鍵Ｋが収納本体部１Ｅの内部に保持された状態で、留め具４３により蓋部４１が閉じられている。
【００８１】
そして、利用者が鍵Ｋを使用する場合には、利用者は、留め具４３を上方から押下操作する。そうすると、図７（ｂ）に示すように、蓋部４１が開けられ、利用者は、紐状部材１９の一方の端部に取り付けられた鍵Ｋを、収納本体部１Ｅから取り出すことができる。
【００８２】
また、紐状部材１９は、一方の端部が鍵Ｋに取り付けられ、他方の端部が収納部１７Ｅに取り付けられているので、鍵Ｋが落下することはない。
【００８３】
なお、蓋部４１は、収納本体部１Ｅの上部全面に設けられていてもよいし、上部の一部に設けられていてもよい。即ち、鍵Ｋを取り出すことができる大きさであればよい。
【００８４】
以上のように、本考案の実施例６に係る物品収納具１００Ｅによれば、上面の一部又は全部が開閉する蓋部４１を有する収納本体部１Ｅを備えるので、本考案の実施例１に係る物品収納具１００と同様に、利用者の身体に装着した状態で鍵Ｋを使用でき、かつ使用の際の落下を防止することができる。
【実施例７】
【００８５】
本考案の実施例１では、人体の手首に着脱可能なバンド部２を有し、開口部１３から鍵Ｋが放出する物品収納具１００を例に挙げて説明した。
【００８６】
本考案の実施例７では、人体に吊り下げ可能な構成を有し、鍵Ｋを覆う物品収納具を例に挙げて説明する。
【００８７】
図８は、本考案の実施例７に係る物品収納具１００Ｆが備える収納本体部１Ｆにおける鍵Ｋの取り出しを説明した図である。
【００８８】
図８（ａ）に示すように、本考案の実施例７に係る物品収納具１００Ｆは、鍵Ｆを収納する収納本体部１Ｆと、収納本体部１Ｆが接続された装着部２Ｆとを備えている。
【００８９】
装着部２Ｆは、利用者が身につけている衣服等に掛止可能な形状、例えば、フック形状や螺旋リング形状を有している。
【００９０】
収納本体部１Ｆは、紐状部材１９の一方の端部が取り付けられたリング４５と、リング４５全体を覆う収納部１７Ｆと、収納部１７Ｆを上下に引っ張るためのハンドル部４７とを備えている。
【００９１】
収納部１７Ｆは、リング４５及び鍵Ｋを覆う又は露出させるように伸縮する伸縮部材を有している。
【００９２】
利用者が鍵Ｋを使用しない場合、即ち、鍵Ｋを収納部１７Ｆに収納する場合には、図８（ｂ）に示すように、利用者は、紐状部材１９を手繰り寄せ、鍵Ｋをリング４５に近づける。
【００９３】
リング４５を実施例１の図２で用いているリール１８を用いる事で、紐状部材１９を手繰り寄せる手間を省く構成にしても良い。
【００９４】
そして、図８（ｃ），（ｄ）に示すように、利用者は、ハンドル部４７をＰ１方向に引っ張り下げると、それに伴って、収納部１７Ｆが鍵Ｋを覆うように伸張する。
【００９５】
利用者が鍵Ｋを使用する場合には、利用者は、図８（ｅ）に示すように、利用者は、ハンドル部４７をＰ２方向に引っ張りあげる。そうすると、収納部１７Ｆは、鍵Ｋを露出するように収縮する。これにより、利用者は、露出された鍵Ｋを使用することができる。
【００９６】
以上のように、本考案の実施例７に係る物品収納具１００Ｆによれば、収納部１７Ｆは、鍵Ｋを覆い又は露出させるように伸縮する伸縮部材を有し、紐状部材１９の端部はリング４５に取り付けられているので、本考案の実施例１に係る物品収納具１００と同様に、利用者の身体に装着した状態で鍵Ｋを使用でき、かつ使用の際の落下を防止することができる。
【００９７】
なお、本考案の実施例７では、人体に吊り下げ可能な物品収納具１００Ｆを例に挙げて説明したが、これに限らず、収納本体部１Ｆをバンド部２に固定して人体の手首の装着するようにしてもよい。
【００９８】
また、本考案の実施例１〜７において、収納部に収納される物品として鍵Ｋを例に挙げて説明したが、これに限らず、工具等でもよい。
【符号の説明】
【００９９】
１，１Ａ，１Ｂ，１Ｃ，１Ｄ，１Ｅ，１Ｆ…収納本体部
２…バンド部
２Ｆ…装着部
１１…セットバー
１２…スライドバー（抑制保持手段）
１３…開口部
１５…ガイドレール
１６…台座
１７，１７Ｂ，１７Ｃ，１７Ｄ，１７Ｅ，１７Ｆ…収納部
１８…リール
１９，１９Ｃ…紐状部材
２０…バネ
２２…磁石
２３…紐固定部
２８…ロック部（屈曲保持手段）
２９…保持部
３１…内部バネ
３２…ボタン
３５…挟持部
３６…軸固定台
３７…円筒部材
３８…軸掛止部
４１…蓋部
４５…リング
４７…ハンドル部
１００，１００Ａ，１００Ｂ，１００Ｃ，１００Ｄ，１００Ｅ，１００Ｆ…物品収納具
【図１】
0003168303.tif 000003
【図２】
0003168303.tif 000004
【図３】
0003168303.tif 000005
【図４】
0003168303.tif 000006
【図５】
0003168303.tif 000007
【図６】
0003168303.tif 000008
【図７】
0003168303.tif 000009
【図８】
0003168303.tif 000010
【手続補正書】
【提出日】平成23年3月30日(2011.3.30)
【手続補正１】
【補正対象書類名】明細書
【補正対象項目名】０００９
【補正方法】変更
【補正の内容】
【０００９】
上記目的を達成するため、本考案に係る物品収納具の第１の特徴は、鍵を収納する収納部と、前記収納部に一部が取り付けられ、一方の端部が前記鍵に取り付けられた紐状部材と、を備えたことにある。
【手続補正２】
【補正対象書類名】明細書
【補正対象項目名】００１１
【補正方法】変更
【補正の内容】
【００１１】
本考案に係る物品収納具の第３の特徴は、前記鍵は、磁性体であり、前記収納部は、前記紐状部材の他方の端部が取り付けられた紐固定部と、前記鍵を吸着する磁石と、を有することにある。
【手続補正３】
【補正対象書類名】明細書
【補正対象項目名】００１２
【補正方法】変更
【補正の内容】
【００１２】
本考案に係る物品収納具の第４の特徴は、前記鍵を当該収納部外へ放出するように伸張する伸張部材と、前記伸張部材の伸張を抑制した状態で保持又は解除する抑制保持手段と、を、更に備えたことにある。
【手続補正４】
【補正対象書類名】明細書
【補正対象項目名】００１３
【補正方法】変更
【補正の内容】
【００１３】
本考案に係る物品収納具の第５の特徴は、前記収納部は、前記鍵がはめ込まれた状態で保持する弾性体を有することにある。
【手続補正５】
【補正対象書類名】明細書
【補正対象項目名】００１５
【補正方法】変更
【補正の内容】
【００１５】
本考案に係る物品収納具の第７の特徴は、前記収納部に対して所定の間隔を有して両端が固定された円筒部材を、更に備え、前記鍵は、前記円筒部材を中心に回動自在に設けられた側面部の一部が切り欠いた中空円筒形状を有し、前記紐状部材の一方の端部が取り付けられた接続部を有したことにある。
【手続補正６】
【補正対象書類名】明細書
【補正対象項目名】００１７
【補正方法】変更
【補正の内容】
【００１７】
本考案に係る物品収納具の第９の特徴は、前記収納部は、前記鍵を覆い又は露出させるように伸縮する伸縮部材を有したことにある。
【手続補正７】
【補正対象書類名】実用新案登録請求の範囲
【補正対象項目名】全文
【補正方法】変更
【補正の内容】
【実用新案登録請求の範囲】
【請求項１】
鍵を収納する収納部と、
前記収納部に一部が取り付けられ、一方の端部が前記鍵に取り付けられた紐状部材と、
を備えたことを特徴とする物品収納具。
【請求項２】
前記紐状部材を巻き取る巻き取り部を、
更に備えたことを特徴とする請求項１に記載の物品収納具。
【請求項３】
前記鍵は、磁性体であり、
前記収納部は、
前記紐状部材の他方の端部が取り付けられた紐固定部と、
前記鍵を吸着する磁石と、を有する
ことを特徴とする請求項１に記載の物品収納具。
【請求項４】
前記鍵を当該収納部外へ放出するように伸張する伸張部材と、
前記伸張部材の伸張を抑制した状態で保持又は解除する抑制保持手段と、
を、更に備えたことを特徴とする請求項１〜３のうちいずれか１項に記載の物品収納具。
【請求項５】
前記収納部は、
前記鍵がはめ込まれた状態で保持する弾性体を有する
ことを特徴とする請求項１に記載の物品収納具。
【請求項６】
前記紐状部材は、
前記収納部に一部がスライド自在に取り付けられた弾性体であり、
前記紐状部材を屈曲した状態で保持又は解除する屈曲保持手段を、
を更に備えたことを特徴とする請求項１に記載の物品収納具。
【請求項７】
前記収納部に対して所定の間隔を有して両端が固定された円筒部材を、更に備え、
前記鍵は、
前記円筒部材を中心に回動自在に設けられた側面部の一部が切り欠いた中空円筒形状を有し、前記紐状部材の一方の端部が取り付けられた接続部を有した
ことを特徴とする請求項１に記載の物品収納具。
【請求項８】
前記収納部は、
上面の一部又は全部が開閉する蓋部を有する
ことを特徴とする請求項１〜７のいずれか１項に記載の物品収納具。
【請求項９】
前記収納部は、
前記鍵を覆い又は露出させるように伸縮する伸縮部材を有した
ことを特徴とする請求項１に記載の物品収納具。
【請求項１０】
前記収納部が固定され、人体の手首に着脱可能なバンド部
を、さらに備えたことを特徴とする請求項１〜９のいずれか１項記載の物品収納具。